(57)【要約】      （修正有）【課題】ユーザの利便性を向上させる心電位等を検出するセンサユニットを提供する。【解決手段】センサと、ゲル状部２３と、測定部と、導電部と、を有する。電極を備えたセンサと、第一面を有し、該第一面とは所定の距離だけ離間した位置でセンサを覆ったゲル状部２３と、第一面の少なくとも一部から露出した測定部と、電極と測定部との間を電気的に接続した、伸縮可能な導電部と、を備える。【選択図】図１
2017064085.tif 000002
【特許請求の範囲】
【請求項１】
電極を備えたセンサと、
第一面を有し、該第一面とは所定の距離だけ離間した位置で前記センサを覆ったゲル状部と、
前記第一面の少なくとも一部から露出した測定部と、
前記電極と前記測定部との間を電気的に接続した、伸縮可能な導電部と、
を備えた電子機器。
【請求項２】
前記電極は、第一電極と第二電極とを含み、
前記測定部は、第一測定部と第二測定部とを含み、
前記導電部は、前記第一電極と前記第一測定部とを電気的に接続した第一導電部と、前記第二電極と前記第二測定部とを電気的に接続した第二導電部とを含むことを特徴とする請求項１に記載の電子機器。
【請求項３】
前記測定部は、粘着性を有することを特徴とする請求項２に記載の電子機器。
【請求項４】
前記導電部は、前記ゲル状部と接する部分の少なくとも一部は粘着性を有することを特徴とする請求項２または請求項３に記載の電子機器。
【請求項５】
前記第一測定部は、
該第一測定部とは垂直方向において前記第一電極と少なくとも一部が重なって位置し、
前記第二測定部は、
該第二測定部とは垂直方向において前記第二電極と少なくとも一部が重なって位置することを特徴とする請求項２乃至請求項４のいずれか一項に記載の電子機器。
【請求項６】
前記第一測定部及び前記第二測定部は、
互いに前記第一面の対角位置に位置することを特徴とする請求項２乃至請求項５のいずれか一項に記載の電子機器。
【請求項７】
前記ゲル状部は、少なくとも第一面は粘着性を有することを特徴とする請求項１乃至請求項６のいずれか一項に記載の電子機器。
【請求項８】
前記ゲル状部は、第一開口部を有するとともに該第一開口部から前記第一面が露出されるように構成された柔軟なカバーに覆われ、
当該カバーに設けられた第二開口部から露出されるとともに前記センサと電気的に接続されたコネクタを有することを特徴とする請求項１乃至請求項７のいずれか一項に記載の電気機器。
【請求項９】
前記カバー及び前記ゲル状部は絶縁性であるとともに透明であり、前記ゲル状部は、前記カバーの前記第一開口部とは反対側を向いた表示部を覆うことを特徴とする請求項８に記載の電子機器。
【請求項１０】
電極を備えたセンサと、
第一面を有し、該第一面とは所定の距離だけ離間した位置で前記センサを覆ったゲル状部と、
前記電極と電気的に接続され、少なくとも一部が前記ゲル状部から露出された伸縮可能な導電部と、
を備えた電子機器。
【発明の詳細な説明】
【技術分野】
【０００１】
本発明の実施形態は、一般的に、電子機器に関する。
【背景技術】
【０００２】
種々の電子機器が、例えば両面テープによって対象となる面に貼り付けられることがある。
【先行技術文献】
【特許文献】
【０００３】
【特許文献１】特表２００７−５２５２６９号公報
【発明の概要】
【発明が解決しようとする課題】
【０００４】
本発明の実施形態は、電子機器のユーザの利便性を向上させる。
【課題を解決するための手段】
【０００５】
実施形態の電子機器は、センサと、ゲル状部と、測定部と、導電部と、を有する。実施形態の電子機器は、例えば、電極を備えたセンサと、第一面を有し、該第一面とは所定の距離だけ離間した位置で前記センサを覆ったゲル状部と、前記第一面の少なくとも一部から露出した測定部と、前記電極と前記測定部との間を電気的に接続した、伸縮可能な導電部と、を備える。
【図面の簡単な説明】
【０００６】
【図１】第１の実施形態の電子機器と外部ケーブルとを示す斜視図。
【図２】第１の実施形態の電子機器を示す平面図。
【図３】第１の実施形態の電子機器を示す断面図。
【図４】第２の実施形態の電子機器を示す平面図。
【図５】第２の実施形態の電子機器を示す断面図。
【図６】第３の実施形態の電子機器を示す平面図。
【発明を実施するための形態】
【０００７】
以下、実施の形態について、図面を参照して説明する。
【０００８】
本明細書では、いくつかの要素に複数の表現の例を付している。なおこれら表現の例はあくまで例示であり、上記要素が他の表現で表現されることを否定するものではない。また、複数の表現が付されていない要素についても、別の表現で表現されてもよい。
【０００９】
また、図面は模式的なものであり、厚みと平面寸法との関係や各層の厚みの比率などは現実のものと異なることがある。また、図面相互間において互いの寸法の関係や比率が異なる部分が含まれることもある。
【００１０】
（第１の実施形態）
図１は、第１の実施形態の電子機器１２と外部ケーブル１３とを示す斜視図である。図２は、第１の実施形態の電子機器１２を示す平面図である。図３は、第１の実施形態の電子機器１２を示す断面図である。電子機器１２は、例えば、機器、装置、及び部品のようにも称され得る。
【００１１】
各図面に示されるように、本明細書において、Ｘ軸、Ｙ軸及びＺ軸が定義される。Ｘ軸とＹ軸とＺ軸とは、互いに直交する。Ｘ軸は、電子機器１２の長さに沿う。Ｙ軸は、電子機器１２の幅に沿う。Ｚ軸は、電子機器１２の厚さに沿う。
【００１２】
本実施形態に係る電子機器１２は、例えば、心電位等を検出可能な携帯型のセンサユニットであり、被検体（例えば、人体）に貼り付けられることで信号を検出可能である。
【００１３】
図３に示すように、電子機器１２は、モジュール２１と、電池２２と、ゲル状部２３と、カバー２４とを有する。モジュール２１は、部品の一例であり、例えば、構成部品、要素、ユニット、装置、及び機器のようにも称され得る。ゲル状部２３は、例えば、ゲル、ゼリー状部分、粘着部、接着部、弾性部、包含部、粘部、及び部分のようにも称され得る。カバー２４は、例えば、覆部、収容部、保護部、ケース、筐体、及び部分のようにも称され得る。
【００１４】
モジュール２１は、第１の基板３１と、第２の基板３２と、第３の基板３３と、第１のコネクタ３４と、複数の電子部品３６と、ケーブル３８と、表示部９１と、心電センサ９２と、二つの電極９３とを有する。第１のコネクタ３４は、コネクタの一例である。
【００１５】
なお、このほかに例えば、モジュール２１にアンテナ（図示せず）が設けられても良い。当該アンテナは、例えば、無線ＬＡＮのアンテナである。勿論当該アンテナはこれに限らず、例えば、第３世代移動通信システム（３Ｇ）のアンテナや、Ｂｌｕｅｔｏｏｔｈ（登録商標）のアンテナのような、他のアンテナであっても良い。モジュール２１は、当該アンテナにより、例えば他の装置と無線通信することが可能になる。
【００１６】
第１の基板３１は、例えば、プリント回路板（Ｐｒｉｎｔｅｄ  Ｃｉｒｃｕｉｔ  Ｂｏａｒｄ，ＰＣＢ）である。なお、第１の基板３１は、他の基板であっても良い。第１の基板３１は、第１の表面３１ａと、第２の表面３１ｂとを有する。
【００１７】
第１の表面３１ａは、Ｚ軸に沿う方向に向く略平坦な面である。第２の表面３１ｂは、第１の表面３１ａの反対側に位置する略平坦な面である。第２の表面３１ｂは、第１の表面３１ａが向く方向の反対方向に向く。
【００１８】
第２の基板３２は、例えば、ＰＣＢである。なお、第２の基板３２は、他の基板であっても良い。第２の基板３２は、第３の表面３２ａと、第４の表面３２ｂとを有する。
【００１９】
第３の表面３２ａは、Ｚ軸に沿う方向に向く略平坦な面である。第４の表面３２ｂは、第３の表面３２ａの反対側に位置する略平坦な面である。第４の表面３２ｂは、第３の表面３２ａが向く方向の反対方向に向く。
【００２０】
第１の表面３１ａに、第１のコネクタ３４、及び複数の電子部品３６が実装される。なお、第１のコネクタ３４、及び複数の電子部品３６は、第２の表面３１ｂ、第３の表面３２ａ、又は第４の表面３２ｂに実装されても良い。さらに、第１乃至第４の表面３１ａ，３１ｂ，３２ａ，３２ｂに、他の部品が実装されても良い。
【００２１】
第２の基板３２の第３の表面３２ａは、第１の基板３１の第２の表面３１ｂに対向する。第１の基板３１の第２の表面３１ｂは、第２の基板３２の第３の表面３２ａから、Ｚ軸に沿う方向に離間した位置に配置される。
【００２２】
第１の基板３１と第２の基板３２とは、Ｚ軸に沿う方向に重ねられる。言い換えると、第１の基板３１と第２の基板３２とは、第１の基板３１の厚さ方向に重ねられる。第１の基板３１の厚さ方向は、第１のコネクタ３４、及び複数の電子部品３６のような部品が実装された第１の表面３１ａが向く方向である。
【００２３】
第３の基板３３は、例えば、フレキシブルプリント回路板（ＦＰＣ）である。なお、第３の基板３３は、他の基板であっても良い。第３の基板３３は、第１の基板３１よりも柔らかく、第２の基板３２よりも柔らかい。第３の基板３３は、第１及び第２の基板３１，３２よりも、容易に弾性変形可能である。
【００２４】
第３の基板３３は、第１の基板３１と第２の基板３２との間を電気的に接続する。言い換えると、第３の基板３３の一つの端部が第１の基板３１に接続され、第３の基板３３の他の一つの端部が第２の基板３２に接続される。
【００２５】
第３の基板３３は、例えば、第１の基板３１に実装されたコネクタと、第２の基板３２に実装されたコネクタとに接続される。第１乃至第３の基板３１〜３３は、一体的にフレックスリジッドプリント配線板を形成しても良い。この場合、リジッドな部分が第１及び第２の基板３１，３２であり、フレキシブルな部分が第３の基板３３である。
【００２６】
第１のコネクタ３４は、例えば、Ｕｎｉｖｅｒｓａｌ  Ｓｅｒｉａｌ  Ｂａｓｓ（ＵＳＢ）のコネクタである。なお、第１のコネクタ３４は、例えば、Ｌｏｃａｌ  Ａｒｅａ  Ｎｅｔｗｏｒｋ（ＬＡＮ）のコネクタ及びＨｉｇｈ‐Ｄｅｆｉｎｉｔｉｏｎ  Ｍｕｌｔｉｍｅｄｉａ  Ｉｎｔｅｒｆａｃｅ（ＨＤＭＩ（登録商標））のコネクタのような他のコネクタであっても良い。
【００２７】
第１のコネクタ３４に、挿入口３４ａが設けられる。挿入口３４ａは、第３の開口部の一例である。挿入口３４ａに、例えば、図１の外部ケーブル１３のプラグが挿入される。外部ケーブル１３は、例えば、外部装置に接続されたＵＳＢケーブルである。これにより、外部ケーブル１３が、第１のコネクタ３４を介して外部装置に接続される。
【００２８】
また、第１のコネクタ３４の他に、例えば、ＳＤカードのコネクタが設けられても良い。また、これに限らず、マイクロＳＤカードのコネクタやＳＩＭカードのコネクタのような他のコネクタが設けられても良い。
【００２９】
心電センサ９２は、例えば、第１の基板３１の第１の表面３１ａに実装される。なお、心電センサ９２は、第２の面３１ｂ、第３の面３２ａ、及び第４の面３２ｂのような、他の場所に実装されても良い。なお、心電センサ９２は、例えば、生体センサ、センサ、及び部品とも称され得る。
【００３０】
電極９３は、心電センサ９２が心臓活動電位を検知するための電極であり、心電センサ９２に接続される。なお、電極９３はこれに限らない。電極９３は、第２の基板３２の第４の表面３２ｂに実装される。なお、電極９３は、他の場所に実装されても良い。電極９３は、第４の表面３２ｂが向く方向に向く。なお、電極９３は、例えば、検知部、導電部、及び部分とも称され得る。
【００３１】
尚、本実施形態では心電センサ９２は、上述のように被検体の心臓活動電位を検知するが、他の生体機能を検知するセンサが用いられても良い。換言すれば、本実施形態における電子機器１２は、携帯型のセンサユニットであり、被検体（例えば、人体）貼り付けられることで被検体から信号を検出し、生体機能を測定する。検知対象は、心臓活動電位に限られない。
【００３２】
図３に示す電池２２は、例えば、リチウムイオン二次電池である。なお、電池２２は、ニッケル水素充電池のような他の二次電池や、一次電池であっても良い。電池２２は、板状に形成される。なお、電池２２は、筒状のような他の形状に形成されても良い。なお、電池２２は、電極９３が向く位置とは異なる位置に配置される。
【００３３】
電池２２は、第５の表面２２ａと、第６の表面２２ｂとを有する。第５の表面２２ａは、Ｚ軸に沿う方向に向く略平坦な面である。第６の表面２２ｂは、第５の表面２２ａの反対側に位置する略平坦な面である。第６の表面２２ｂは、第５の表面２２ａが向く方向の反対方向に向く。
【００３４】
電池２２の第５の表面２２ａは、第２の基板３２の第４の表面３２ｂに対向する。第２の基板３２の第４の表面３２ｂは、電池２２の第５の表面２２ａから、Ｚ軸に沿う方向に離間した位置に配置される。第２の基板３２と電池２２とは、Ｚ軸に沿う方向に重ねられる。言い換えると、第２の基板３２と電池２２とは、第１の基板３１の厚さ方向に重ねられる。
【００３５】
電池２２は、柔軟なケーブル３８によって、第２の基板３２に接続される。これにより、電池２２は、モジュール２１に電力を供給する。電池２２は、外部ケーブル１３を介して外部から供給された電力により充電されても良い。
【００３６】
カバー２４は、一面が開放された略錐台形の箱型に形成された、柔軟な部材である。カバー２４は、例えば、シリコンゴムによって作られる。なお、カバー２４の形状及び材料はこれに限らない。
【００３７】
カバー２４は、第１の基板３１よりも柔らかい。カバー２４は、ゲル状部２３よりも硬い。このため、カバー２４は、ゲル状部２３を一定の形状に保持可能である。カバー２４の硬さは、例えば、カバー２４の厚さ及び材料の硬度によって設定される。カバー２４は、第１の壁５１と、複数の第２の壁５２とを有する。第２の壁５２は、壁の一例であり、例えば、部材及び部分とも称され得る。
【００３８】
第１の壁５１は、例えば、略四角形の板状に形成される。なお、第１の壁５１はこれに限らず、他の形状に形成されても良い。第１の壁５１は、第１の内面５１ａと、第１の外面５１ｂとを有する。
【００３９】
ゲル状部２３は、絶縁部９５と、二つの導電部９６とを有する。絶縁部９５及び導電部９６は、透明（透光性）な粘着性のゲル状の部分である。絶縁部９５は、例えば、絶縁性のシリコンゲルによって作られ、第１の基板３１よりも柔らかい。なお、絶縁部９５は第２の部分の一例であり、例えば、保護部、包含部、覆部、及び保持部とも称され得る。導電部９６は、例えば、導電性材料が添加されたシリコンゲルによって作られ、導電性を有する。なお、絶縁部９５及び導電部９６はこれに限らず、他の材料によって作られても良い。
【００４０】
尚本実施形態において「透明（透光性）」とは、例えば電子機器１２に設けられた表示部９１の表示内容を、絶縁部９５（及びカバー２４）を介してユーザが見た場合に識別可能な程度を指す。
【００４１】
絶縁部９５は、モジュール２１と、電池２２とを包含する。言い換えると、絶縁部９５は、モジュール２１と電池２２とを覆う。このため、絶縁部９５は、モジュール２１の各部品と電池２２との表面に付着する。
【００４２】
本実施形態の絶縁部９５は、第１のコネクタ３４の一部を外部に露出させ、モジュール２１の他の部分を覆う。なお、絶縁部９５はこれに限らず、モジュール２１の他の部分を露出させても良いし、モジュール２１を完全に包含しても良い。
【００４３】
絶縁部９５の一部は、第１の基板３１と、第２の基板３２と、電池２２との間にそれぞれ介在する。このため、絶縁部９５は、第１の基板３１、第２の基板３２、及び電池２２を互いに離間した位置に保持する。
【００４４】
絶縁部９５は、電池２２、第１の基板３１、第２の基板３２、第３の基板３３、第１のコネクタ３４、複数の電子部品３６、及びケーブル３８のそれぞれの表面に付着する。なお、絶縁部９５と、電池２２、第１の基板３１、第２の基板３２、第３の基板３３、第１のコネクタ３４、複数の電子部品３６、及びケーブル３８のそれぞれの表面との間に、隙間が形成されても良い。
【００４５】
絶縁部９５は、第１の接着面９５ａと、第２の接着面９５ｂとを有する。第２の接着面９５ｂは、本実施形態における第１の面の一例であり、例えば、粘着部、取付部、及び粘部とも称され得る。
【００４６】
第１の接着面９５ａは、カバー２４に面する絶縁部９５の外面である。第１の接着面９５ａは、カバー２４に面する絶縁部９５の外面である。第１の接着面９５ａは、第１の壁５１の第１の内面５１ａと、第２の壁５２の第２の内面５２ａとに接着される。
【００４７】
第２の接着面９５ｂは、Ｚ軸に沿う方向に向く略平坦な面である。第２の接着面９５ｂは、第１の開口部５５によって電子機器１２の外部に露出される。
【００４８】
導電部９６は、第３の接着面９６ａを有する。第３の接着面９６ａは、第２の接着面９５ｂと同じく、本実施形態における第１の面の一例であり、例えば、粘着部、取付部、及び粘部とも称され得る。
【００４９】
導電部９６は、対応する電極９３から、Ｚ軸に沿う方向に延びる。導電部９６の第３の接着面９６ａは、絶縁部９５の第２の接着面９５ｂと略同一平面を形成する。すなわち、一体的な面を形成する絶縁部９５の第２の接着面９５ｂと導電部９６の第３の接着面９６ａとが、第１の開口部５５によって露出される。
【００５０】
なお、導電部９６の第３の接着面９６ａと絶縁部９５の第２の接着面９５ｂとが形成する面は、例えば略平坦に形成されるが、必ずしも平坦である必要は無い。導電部９６の第３の接着面９６ａと絶縁部９５の第２の接着面９５ｂとはともにゲル状の部分であるため、面の形状は、例えば重力によって容易に変形する。
【００５１】
絶縁部９５及び導電部９６の材料であるシリコンゲルは、当該シリコンゲルの外面に接触した他の物体に、取り外し可能に接着する。絶縁部９５及び導電部９６の材料であるシリコンゲルの接着力は、例えば、水に濡れることで低下し、乾燥することで復元する。なお、絶縁部９５及び導電部９６の材料であるシリコンゲルの性質はこれに限らない。
【００５２】
絶縁部９５は、補強材が添加された上記シリコンゲルによって作られても良い。補強材は、例えば、繊維又は合成ゴムであるがこれに限られない。導電部９６は、補強材無しの上記シリコンゲルによって作られてもよい。なお、導電部９６の材料であるシリコンゲルに、補強材が添加されても良い。
【００５３】
絶縁部９５及び導電部９６の材料であるシリコンゲルは、例えば透明（透光性）である。なお、絶縁部９５及び導電部９６の材料であるシリコンゲルは、全体的に又は部分的に着色されても良い。なお、導電部９６は必ずしも透明である必要は無い。
【００５４】
また、カバー２４の第１の内面５１ａは、Ｚ軸に沿う方向に向く略平坦な面である。第１の内面５１ａは、電子機器１２の内側に向き、絶縁部９５の第１の接着面９５ａに面する。第１の外面５１ｂは、第１の内面５１ａの反対側に位置する略平坦な面である。第１の外面５１ｂは、第１の内面５１ａの反対方向に向く。
【００５５】
第１の壁５１の第１の内面５１ａは、絶縁部９５を介して、第１の基板３１の第１の表面３１ａに対向する。第１の基板３１の第１の表面３１ａは、第１の壁５１の第１の内面５１ａから、Ｚ軸に沿う方向に離間した位置に配置される。第１の基板３１と第１の壁５１とは、Ｚ軸に沿う方向に重ねられる。言い換えると、第１の基板３１と第１の壁５１とは、第１の基板３１の厚さ方向に重ねられる。
【００５６】
絶縁部９５の一部は、第１の基板３１の第１の表面３１ａと、第１の壁５１の第１の内面５１ａとの間に介在する。このため、絶縁部９５は、第１の基板３１を、第１の壁５１から離間した位置に保持する。
【００５７】
第２の壁５２は、例えば、略四角形の板状に形成される。なお、第２の壁５２はこれに限らず、他の形状に形成されても良い。第２の壁５２は、それぞれ、第１の壁５１の縁から、第２の接着面９５ｂに対して斜めに交差する方向に延びる。第２の接着面９５ｂに対して斜めに交差する方向は、第２の方向の一例である。第２の壁５２は、第２の接着面９５ｂに対して直交する方向のような、他の方向に延びても良い。
【００５８】
第２の壁５２は、第２の内面５２ａと、第２の外面５２ｂとをそれぞれ有する。第２の内面５２ａは、電子機器１２の内側に向き、絶縁部９５の第１の接着面９５ａに面する。第２の外面５２ｂは、第２の内面５２ａの反対側に位置する略平坦な面である。第２の外面５２ｂは、第２の内面５２ａの反対方向に向く。
【００５９】
カバー２４は、Ｚ軸に沿う方向における第１の端部２４ａと、第２の端部２４ｂとをさらに有する。第２の端部２４ｂは、端部の一例である。第１の端部２４ａは、第１の壁５１によって塞がれる。言い換えると、第１の壁５１が、カバー２４の第１の端部２４ａを形成する。第２の端部２４ｂは、第１の端部２４ａの反対側に位置する。
【００６０】
カバー２４の第２の端部２４ｂに、第１の開口部５５が開口する。第１の開口部５５は、例えば、開放部、露出部、及び部分のようにも称され得る。言い換えると、第２の端部２４ｂは、箱型のカバーの、開放された部分である。
【００６１】
第１の開口部５５は、第１の壁５１の第１の内面５１ａと、第２の壁５２の第２の内面５２ａとによって規定される。なお、第１の開口部５５はこれに限らない。Ｚ軸に沿う方向における第２の壁５２の一方の端部は、第１の壁５１の縁に接続される。Ｚ軸に沿う方向における第２の壁５２の他方の端部は、カバー２４の第２の端部２４ｂを形成する。このため、第２の壁５２の他方の端部によって、第１の開口部５５の開口された部分が形成される。
【００６２】
カバー２４の第１の開口部５５に、モジュール２１を包含したゲル状部２３が収容される。ゲル状部２３がカバー２４に収容されることで、絶縁部９５の第１の接着面９５ａは、第１の内面５１ａに接着される。さらに、絶縁部９５の第１の接着面９５ａは、第２の内面５２ａに接着される。
【００６３】
第１の開口部５５によって、絶縁部９５の第２の接着部９５ｂ及び導電部９６の第３の接着面９６ａが露出される。言い換えると、ゲル状部２３の、第１の開口部５５によって露出される部分は、絶縁部９５の第２の接着部９５ｂ及び導電部９６の第３の接着面９６ａによって形成される。
【００６４】
カバー２４は、フランジ部６１をさらに有する。フランジ部６１は、突出部の一例であり、例えば、凸部、突起、防水部、接触部、及び部分のようにも称され得る。フランジ部６１は、カバー２４の第２の端部２４ｂに設けられる。言い換えると、フランジ部６１は、第２の壁５２に設けられる。
【００６５】
フランジ部６１は、カバー２４の第２の端部２４ｂにおいて、第２の壁５２の第２の外面５２ｂから、第１の開口部５５の外側へ突出する。フランジ部６１は、第１の開口部５５によって露出された接着部４２の第５の接着面４２ｃに沿う方向に突出する。
【００６６】
フランジ部６１と、カバー２４の第２の端部２４ｂとによって、Ｚ軸に沿う方向におけるカバー２４の端面２４ｃが形成される。第２の端部２４ｂは、端面２４ｃを含むカバー２４の一部である。端面２４ｃは、第１の開口部５５によって露出された絶縁部９５の第２の接着面９５ｂと略同一平面を形成する。なお、第２の接着面９５ｂは、例えば、端面２４ｃから突出した位置に設けられても良いし、端面２４ｃから窪んだ位置に設けられても良い。
【００６７】
図２に示すように、カバー２４に、第２の開口部６３がさらに設けられる。第２の開口部６３は、例えば、開放部、露出部、及び部分のようにも称され得る。第２の開口部６３は、例えば第２の壁５２に設けられる。なお、第２の開口部６３は、第１の壁５１に設けられても良い。
【００６８】
第２の開口部６３は、第１のコネクタ３４に対応する位置に設けられ、第１のコネクタ３４に対応する大きさを有する。第２の開口部６３に、第１のコネクタ３４が通される。第２の開口部６３を規定するカバー２４の縁は、第１のコネクタ３４の外面に弾性的に接触する。第２の開口部６３と第１のコネクタ３４との間の隙間が、例えば合成樹脂によって塞がれても良い。
【００６９】
第２の開口部６３によって、第１のコネクタ３４の挿入口３４ａが、電子機器１２の外部に露出される。これにより、電子機器１２の外部から、第１のコネクタ３４の挿入口３４ａに、例えば外部ケーブル１３のプラグが挿入可能である。
【００７０】
なお、前述のようにＳＤカードを使用するためのコネクタ等がさらに設けられる場合、のスロットを電子機器１２の外部に露出されることで、電子機器１２の外部から、例えばＳＤカードが挿入可能である。
【００７１】
表示部９１は、略四角形の板状に形成される。表示部９１は、ゲル状部２３の絶縁部９５に包含される。表示部９１は、表示面９１ａと、背面９１ｂと、接続ケーブル９１ｃとを有する。表示面９１ａは、第３の面の一例である。表示面９１ａは、Ｚ軸に沿う方向に向く略平坦な面である。背面９１ｂは、表示面９１ａの反対側に位置する略平坦な面である。背面９１ｂは、表示面９１ａが向く方向の反対方向に向く。
【００７２】
表示部９１の表示面９１ａは、絶縁部９５を介して、第１の壁５１の第１の内面５１ａに対向する。表示部９１の表示面９１ａは、第１の壁５１の第１の内面５１ａから、Ｚ軸に沿う方向に離間した位置に配置される。第１の壁５１と表示部９１とは、Ｚ軸に沿う方向に重ねられる。言い換えると、表示部９１は、第１の壁５１の厚さ方向に重ねられる。
【００７３】
表示部９１の背面９１ｂは、絶縁部９５を介して、第１の基板３１の第１の表面３１ａに対向する。表示部９１の背面９１ｂは、第１の基板３１の第１の表面３１ａから、Ｚ軸に沿う方向に離間した位置に配置される。第１の基板３１と表示部９１とは、Ｚ軸に沿う方向に重ねられる。言い換えると、表示部９１は、第１の基板３１の厚さ方向に重ねられる。
【００７４】
上述のように、表示部９１を包含する絶縁部９５は透明（透光性）である。言い換えると、絶縁部９５の、表示面９１ａが向く部分は、透光性である。また、表示面９１ａに対向する第１の壁５１も透明（透光性）である。言い換えると、カバー２４の、表示面９１ａが向く部分も、透光性である。
【００７５】
表示部９１は、接続ケーブル９１ｃによって、例えば第１の基板３１に接続される。表示部９１は、接続ケーブル９１ｃを介して、第１の基板３１のようなモジュール２１の他の部品に制御され、表示面９１ａに画像を表示する。例えば、表示部９１は、表示面９１ａに、心電センサ９２の検知結果を表示する。
【００７６】
上記の電子機器１２は、例えば、以下に説明するように製造される。なお、電子機器１２は、以下に説明される方法に限らず、他の方法によって製造されても良い。
【００７７】
まず、例えばシリコンゴムにより、カバー２４が作られる。カバー２４は、例えば射出成型される。なお、カバー２４は、他の方法で作られても良い。
【００７８】
次に、カバー２４の第１の開口部５５の内部にモジュール２１が収容される。モジュール２１は、例えば治具によって、カバー２４から離間した位置に支持される。さらに、第２の基板３１、第２の基板３２、及び電池２２は、例えば治具によって、互いに離間した位置に支持される。モジュール２１の第１のコネクタ３４は、カバー２４の第２の開口部６３に通される。
【００７９】
次に、カバー２４の第１の開口部５５の内部にモジュール２１が収容された状態で、導電部９６が形成される部分にマスキングブロックが配置される。それから、流動性を有する絶縁部９５の材料が、カバー２４の第１の開口部５５に供給される。当該材料は、モジュール２１を覆う。言い換えると、モジュール２１が、材料の中に埋まる。なお、モジュール２１の一部が露出されても良い。
【００８０】
次に、モジュール２１を支持する治具が除去され、例えば脱気処理により、材料中の気泡が除去される。さらに、流動性を有する材料が加熱されることで固められる。これにより、絶縁部９５が形成される。
【００８１】
例えば、流動性を有する材料が供給された電子機器１２がチャンバに収容され、当該チャンバが例えば真空ポンプにより所定の時間の間、減圧されることで、脱気処理がされる。これにより、材料が供給される際に当該材料に含まれた空気が、材料中から排出及び除去され、加熱によって材料中の空気が気泡を生じさせることが抑制される。
【００８２】
絶縁部９５の第１の接着面９５ａは、固められることにより、第１の壁５１の第１の内面５１ａと、第２の壁５２の第２の内面５２ａとに接着される。絶縁部９５が粘着性のゲル状の部分であるため、絶縁部９５が第１及び第２の壁５１，５２から剥がれることが抑制される。
【００８３】
次に、マスキングブロックが除去されることで、導電部９６が形成される部分に空洞が形成される。当該空洞に、流動性を有する導電部９６の材料が供給される。当該材料に加熱処理及び脱気処理を行うことで、当該材料が固められる。これにより、導電部９６が形成される。
【００８４】
以上により、電子機器１２が製造される。なお、絶縁部９５及び導電部９６が形成された後に、第２の開口部６３形成されても良い。
【００８５】
上記のように形成された電子機器１２は、例えば、以下に説明するように、心電モニタ装置として利用される。なお、電子機器１２は、下記の用途に限られず、他の用途に利用されても良い。
【００８６】
第１の開口部５５によって露出された絶縁部９５の第２の接着面９５ｂ及び導電部９６の第３の接着面９６ａに、例えば、合成樹脂のフィルムが予め接着される。これにより、第５の接着面４２ｃに、水分や粉塵が付着することが抑制される。
【００８７】
電子機器１２が例えば被検体に取り付けられる場合、上記フィルムが剥がされ、絶縁部９５の第２の接着面９５ｂ及び導電部９６の第３の接着面９６ａが露出される。絶縁部９５の第２の接着面９５ｂ及び導電部９６の第３の接着面９６ａが、被検体に接触させられる。これにより、粘着性のゲル状の部分である絶縁部９５の第２の接着面９５ｂ及び導電部９６の第３の接着面９６ａが、被検体に接着される。言い換えると、電子機器１２が、被検体に取り付けられる。
【００８８】
第１の開口部５５によって露出され、一体的な面を形成する絶縁部９５の第２の接着面９５ｂと導電部９６の第３の接着面９６ａとが、人体に接触させられる。これにより、粘着性のゲル状の部分である絶縁部９５の第２の接着面９５ｂと導電部９６の第３の接着面９６ａとが、人体に接着される。
【００８９】
絶縁部９５の第２の接着面９５ｂ及び導電部９６の第３の接着面９６ａが被検体に接着されると、カバー２４の端面２４ｃが、被検体に接触する。これにより、フランジ部６１が被検体の検査部に沿って延びる状態となり、被検体と端面２４ｃとの間に水が浸入することが抑制される。なお、フランジ部６１が、パッキンやゲルによって覆われることで、被検体と端面２４ｃとの間に水が浸入することがさらに抑制されても良い。
【００９０】
電極９３は、対応する導電部９６を介して、人体に電気的に接続される。言い換えると、電極９３は、一体的な面を形成する絶縁部９５の第２の接着面９５ｂと導電部９６の第３の接着面９６ａとに接触した部分（人体）に、電気的に接続される。心電センサ９２は、導電部９６を介して人体に電気的に接続された電極９３から、人体の心臓活動電位を検知する。
【００９１】
絶縁部９５の第２の接着面９５ｂと、導電部９６の第３の接着面９６ａとは、人体から剥がされることが可能である。人体から剥がされた第２及び第３の接触面９５ｂ，９６ａは、粘着性を有し続ける。このため、第２及び第３の接触面９５ｂ，９６ａは、再度、人体のような対象となる面に接着されることが可能である。このように、電子機器１２は対象となる面に繰り返し接着及び剥離されることが可能であるため、容易に接着位置を調整されることが可能である。
【００９２】
電子機器１２は、例えば人体に繰り返し接着及び剥離された場合、皮脂や埃によって第２及び第３の接触面９５ｂ，９６ａの接着力が低下することがある。この場合、第２及び第３の接触面９５ｂ，９６ａは、例えば水及び洗剤により洗浄されるとともに乾燥されることで、接着力を回復する。従って、電子機器１２の接着力の低下や、衛生状態の劣化が抑制される。
【００９３】
第１の実施形態の電子機器１２において、モジュール２１が粘着性のゲル状部２３に包含され、ゲル状部２３はカバー２４の第１の開口部５５によって露出された接着面を有する。これにより、測定対象となる面（人体）に接触させられると、電子機器１２が当該面に取り外し可能に接着される。従って、例えば両面テープのような他の部材無しに、モジュール２１を有した電子機器１２は、対象となる面に接着されることが可能である。
【００９４】
さらに、ゲル状部２３がモジュール２１を包含することで、モジュール２１が、例えば、衝撃、薬品、風雨、及び腐食ガスに晒されることが抑制される。従って、モジュール２１の耐久性の向上が可能となる。
【００９５】
さらに、カバー２４がゲル状部２３を収容することで、電子機器１２が対象となる面に接着される際に、ゲル状部２３がユーザの手に接着されることが抑制される。さらに、ゲル状部２３は、モジュール２１が発する騒音を吸収し、当該騒音が外部に発せられることを抑制する。
【００９６】
例えば、第２の開口部６３によって露出された第１のコネクタ３４の挿入口３４ａに、外部ケーブル１３のプラグが挿入される。当該外部ケーブル１３によって、外部装置（図示せず）と電子機器１２との間が電気的に接続される。これにより、外部装置は、電子機器１２に設けられた他のコネクタやアンテナ等を利用可能となる。なお、電子機器１２は、外部ケーブル１３に限らず、図示していないアンテナを利用して外部装置に無線接続されても良い。
【００９７】
電池２２は、モジュール２１に電力を供給する。このため、電子機器１２は、外部からの電力供給なしに、比較的長時間作動することが可能である。電池２２は、例えば、外部ケーブル１３を介して、外部の電源から電力を供給され、充電されることが可能である。
【００９８】
電子機器１２の絶縁部９５の第２の接着面９５ｂ及び導電部９６の第３の接着面９６ａは、被検体から剥がされることが可能である。被検体から剥がされた絶縁部９５の第２の接着面９５ｂ及び導電部９６の第３の接着面９６ａは、粘着性を有し続ける。このため、絶縁部９５の第２の接着面９５ｂ及び導電部９６の第３の接着面９６ａは、再度、被検体に接着されることが可能である。絶縁部９５の第２の接着面９５ｂ及び導電部９６の第３の接着面９６ａの接着力が低下した場は、例えば水及び洗剤により洗浄されるとともに乾燥されることで、接着力を回復する。
【００９９】
モジュール２１に電力を供給する電池２２が、ゲル状部２３に包含される。これにより、電池２２の電力による電子機器１２の動作が可能となり、電子機器１２の使用用途及び使用可能期間が拡張される。さらに、電池２２の電力を外部の装置に供給することも可能である。さらに、ゲル状部２３が電池２２を包含することで、電池２２が、例えば、衝撃、薬品、風雨、及び腐食ガスに晒されることが抑制される。
【０１００】
ゲル状部２３は、モジュール２１を包含した絶縁部９５と、電極９３と接続された導電部９６とを有し、絶縁部９５は導電部９６よりも硬い。これにより、モジュール２１を保護する絶縁部９５の強度が向上する。従って、絶縁部９５が薄型化されてもゲル状部２３によってモジュール２１が保護されることが可能となり、電子機器１２の小型化が可能となる。さらに、導電部９６に補強材が添加されないため、絶縁部９５よりも強力に対象となる面に接着されることが可能である。
【０１０１】
なお、絶縁部９５は、例えば第２の接着面９５ｂ有した第２の部分と、モジュール２１を包含し、第１の部分よりも熱伝導率の高い第２の部分に分けられても良い。この構成によると、モジュール２１において発生した熱が第２の接着面９５ｂ側（人体側）ではなく、カバー２４の第１の壁５１又は複数の第２の壁５２側へと拡散することになる。
【０１０２】
よって、電子機器１２を貼り付けられたユーザへの熱の拡散を抑制可能である。尚、この構成にする場合、カバー２４も熱伝導率の高いものであることが望ましい。カバー２４及び絶縁部９５の熱伝導率を高くする方法としては、例えば、金属フィラーや合成樹脂等をカバー２４及び絶縁部９５の材料に混ぜることが挙げられるが、これに限らない。
【０１０３】
またモジュール２１に図示されないアンテナが設けられることで、例えば、種々の装置が、電子機器１２の当該アンテナを介して無線通信をすることができる。電子機器１２が容易に対象となる面に接着可能であるため、所望の場所に容易にアンテナ（図示せず）を設置することが可能となる。
【０１０４】
モジュール２１は、第１及び第２の基板３１，３２と、当該第１及び第２の基板３１，３２の間を接続する柔らかい第３の基板３３とを有する。これにより、例えば第１のコネクタ３４、電子部品３６、及びアンテナのような電子部品を実装可能な部分の面積が増大する。さらに、カバー２４及びゲル状部２３を介して第１及び第２の基板３１，３２に外力が作用したとしても、柔らかい第３の基板３３によって外力によってかけられる負荷を緩和させることが可能である。
【０１０５】
第１及び第２の基板３１，３２が、第１の基板３１の厚さ方向に重ねられる。これにより、電子機器１２のＸ軸に沿う方向の長さ及びＹ軸に沿う方向の長さの少なくとも一方が小型化可能となる。さらに、電子機器１２のＺ軸に沿う方向の長さが増大し、ユーザが電子機器１２を持ちやすくなる。
【０１０６】
カバー２４は、第１の開口部５５が開口した第２の端部２４ｂから、第１の開口部５５の外側へ、第２の接着面９５ｂに沿う方向に突出したフランジ部６１を有する。これにより、第１の開口部５５によって露出された第２の接着面９５ｂが対象となる面に接着された際に、フランジ部６１が対象となる面に沿って延びる。従って、例えば水のような液体が、カバー２４の第２の端部２４ｂと、対象となる面との間から第２の接着面９５ｂに浸入することが抑制される。
【０１０７】
モジュール２１は、カバー２４の第２の開口部６３によって露出された挿入口３４ａが設けられた第１のコネクタ３４を有する。これにより、モジュール２１がゲル状部２３に包含された状態で、モジュール２１が、第１のコネクタ３４を介して外部ケーブル１３と接続されることが可能となる。
【０１０８】
また、前述のようにＳＤカードのような外部の装置と接続されるためのコネクタが設けられても良い。なお、電子機器１２は容易に対象となる面に接着可能であるため、所望の場所に容易に第１のコネクタ３４や、その他のコネクタを設置することが可能となる。
【０１０９】
また、本実施形態の電子機器１２において、モジュール２１が表示部９１を有する。表示部９１の表示面９１ａが向く方向に位置する透光性の絶縁部９５及び第１の壁５１が、ゲル状部２３及びカバー２４にそれぞれ設けられる。これにより、表示面９１ａに表示された画像が、透光性の絶縁部９５及び第１の壁５１を介して視認可能となる。電子機器１２が容易に対象となる面に接着可能であるため、所望の場所に容易に表示部９１を設置することが可能となる。
【０１１０】
モジュール２１は、一体的な面を形成する絶縁部９５の第２の接着面９５ｂと導電部９６の第３の接着面９６ａとに接触した部分に、電気的に接続されるよう構成された、電極９３を有する。これにより、第２及び第３の接着面９５ｂ，９６ａを、電極９３に接続する部分（例えば人体）に接着することで、当該部分と電極９３との間が電気的に接続される。従って、電極９３を、当該部分に容易に接続することが可能となる。なお導電部９６は、少なくとも電極９３と第３の接着面９６ａとが電気的に接続されていればよい。
【０１１１】
なお、本実施形態において導電部９６の２つの第３の接着面９６ａは、絶縁部９５の第２の接着面９５ｂの縁部の内側の領域に位置する。このとき、第３の接着面９６ａは第２の接着面９５ｂの縁部の内側の領域において、対角位置に設けられても良い。
【０１１２】
この構成によれば、例えば互いに離間されて位置された複数の第３の接着面９６ａを、第２の接着面９５ｂの縁部と略平行に並べる場合よりも、第３の接着面９６ａ同士の距離を長くすることが可能になる。すなわち、小型の電子機器１２において、第３の接着面９６ａ同士の距離を長くすることが可能になる。
【０１１３】
また、本実施形態において、電極９３は、導電部９６を介して人体に電気的に接続されるが、電極９３はこれに限らない。電極９３は、例えば、絶縁部９５の第２の接着面９５ｂから露出されても良い。これにより、第２の接着面９５ｂが人体に接着された場合に電極９３が人体に接触するため、電極９３が人体に電気的に接続される。
【０１１４】
モジュール２１は、電極９３に接続された心電センサ９２を有する。これにより、第２及び第３の接着面９５ｂ，９６ａを人体に接着することで、心電センサ９２が電極９３により心臓活動電位を検知することが可能となる。従って、例えば、両面テープや吸盤のような他の部材無しに、心電センサ９２の電極９３が、人体に電気的に接続されることが可能である。
【０１１５】
上記本実施形態において、透光性の絶縁部９５及び第１の壁５１を通じて、表示部９１の表示面９１ａに表示された画像が視認可能である。これに限らず、例えば、絶縁部９５及び第１の壁５１に、表示部９１の表示面９１ａを外部に露出させる開口が設けられても良い。これにより、表示面９１ａに表示された画像が直接的に視認され、表示面９１ａに表示された画像がより見やすくなる。
【０１１６】
（第２の実施形態）
以下に、第２の実施形態について、図４及び図５を参照して説明する。図４は、第２の実施形態の電子機器１２を示す平面図である。図５は、第２の実施形態の電子機器１２を示す断面図である。なお、第２の実施形態の説明において、第１の実施形態と同様の構成については、同様の符号を付して詳細な説明を省略する。また、図４において、一部の構成を省略して図示している。
【０１１７】
図４に示すように、第２の実施形態のカバー２４の第２の壁５２に、四つの保持部１０１が設けられる。保持部１０１は、例えば、凹部、窪み、切欠き、及び把持部とも称され得る。
【０１１８】
本実施形態における保持部１０１は、第２の壁５２から窪んだ部分である。言い換えると、保持部１０１は、近傍に突出部が設けられた部分である。保持部１０１は、カバー２４の第１の端部２４ａから第２の端部２４ｂに向かう方向に延びる。保持部１０１の幅は、例えば、電子機器１２を扱うユーザの指の幅よりも大きく設定される。
【０１１９】
モジュール２１は、第１乃至第３の基板３１〜３３を有しており、第３の基板３３は、例えば、フレキシブルプリント回路板（ＦＰＣ）である。第３の基板３３は、第１の基板３１よりも柔らかく、第２の基板３２よりも柔らかい。第３の基板３３は、第１及び第２の基板３１，３２よりも、容易に弾性変形可能である。
【０１２０】
第３の基板３３は、第１の基板３１と第２の基板３２との間を電気的に接続する。言い換えると、第３の基板３３の一つの端部が第１の基板３１に接続され、第３の基板３３の他の一つの端部が第２の基板３２に接続される。
【０１２１】
第３の基板３３は、例えば、第１の基板３１に実装されたコネクタと、第２の基板３２に実装されたコネクタとに接続される。第１乃至第３の基板３１〜３３は、一体的にフレックスリジッドプリント配線板を形成しても良い。この場合、リジッドな部分が第１及び第２の基板３１，３２であり、フレキシブルな部分が第３の基板３３である。
【０１２２】
上記構成によってモジュール２１は、ゲル状部２３の変形に応じて変形することが可能である。さらに本実施形態の電子機器２１は、前述の通り保持部１０１を有しており、ユーザが保持しやすい構成である。
【０１２３】
カバー２４は、第２の接着面９５ｂに交差する方向に延びるとともに、保持部１０１が設けられた第２の壁５２を有する。これにより、例えばユーザが保持部１０１に指を当てて電子機器１２を掴むことが可能となり、電子機器１２を対象となる面に容易に接着することが可能となる。
【０１２４】
本実施形態において、保持部１０１は、第２の壁５２から窪んだ部分である。保持部１０１はこれに限らず、例えば、摘み、突起、スリット、及び表面加工された部分のような、他の保持されやすい部分であっても良い。さらに、本実施形態において、四つの保持部１０１が第２の壁５２に設けられたが、保持部１０１の数はこれに限らない。
【０１２５】
本実施形態では、カバー２４に絶縁部９５（及び導電部９６）の材料が流し込まれることで電子機器１２の外形が決定するため、保持部１０１形成するための加工を行う必要がない。また前述の通り、カバー２４は例えば射出成型によって作られる。このため。カバー２４の形状は、成形時に用いる金型によって決定される。
【０１２６】
以上のことから、図４及び図５で示した保持部１０１に限らず、種々の形状の電子機器２１を容易に作製可能である。また、保持部１０１を設ける以外に、例えばカバー２４の第２の外壁５２ｂに細かい突起を設けることで、ユーザがより力を加えずに持ちやすい構成としても良い。
【０１２７】
ユーザの持ちやすい構成とし、さらにモジュール２１の第３の基板３３にＦＰＣを用いることで、ユーザが電子機器１２を保持する際にかかる外力を抑制可能である。
【０１２８】
（第３の実施形態）
以下に、第３の実施形態について、図６を参照して説明する。図６は、第３の実施形態の電子機器１２を示す平面図である。なお、説明の便宜上、図６において一部の構成を省略している。
【０１２９】
図６に示すように、第３の実施形態の電子機器１２は、Ｘ軸に沿う方向に延びる。Ｘ軸に沿う方向は、第１の方向の一例である。このため、ゲル状部２３及びケース２４も、Ｘ軸に沿う方向に延びる。
【０１３０】
第１乃至第３の基板３１〜３３は、Ｘ軸に沿う方向に並べられる。言い換えれば、第１乃至第３の基板３１〜３３は、面方向に並んで位置する。第２の基板３２は、第１の基板３１に対して、Ｘ軸に沿う方向に離間して配置される。第３の基板３３は、Ｘ軸に沿う方向に延び、第１の基板３１と第２の基板３２との間を接続する。このため、第３の基板３３は、Ｘ軸に沿う方向において、第１の基板３１と第２の基板３２との間に配置される。
【０１３１】
第３の基板３３は、Ｘ軸に沿う方向における、ゲル状部２３の中央部に配置される。言い換えると、第３の基板３３の少なくとも一部が、Ｘ軸に沿う方向におけるゲル状部２３の一方の端部と他方の端部との間の中央に位置する。
【０１３２】
第３の実施形態の電子機器１２において、第３の基板３３は、ゲル状部２３が延びるＸ軸に沿う方向において、第１の基板３１と第２の基板３２との間に配置される。さらに、ゲル状部２３に外力が作用した際に湾曲しやすく且つ応力集中が生じやすい、ゲル状部２３のＸ軸に沿う方向における中央部に、第３の基板３３が配置される。これにより、ゲル状部２３が外力によって湾曲させられたとしても、第３の基板３３が外力を吸収し、例えば、第１及び第２の基板３１，３２や、当該第１及び第２の基板３１，３２に実装された部品の半田接続部が損傷することが抑制される。
【０１３３】
また、電子機器１２は例えば人体に貼り付けられる。２つの電極９３によって測定される測定位置が離れている場合も、例えば電極９３の一方を第１の基板３１に設け、他の一方を第２の基板３２に設けることで、広い測定範囲に対して電子機器１２を用いることが可能である。
【０１３４】
さらに、第１の基板３１と第２の基板３２とを、第３の基板３３を介して略同一平面上に構成することで、電子機器２１の薄型化が可能になる。また、第３の基板３３がＦＰＣであることで、例えば腕などにも巻きつけるように貼り付け可能となる。
【０１３５】
以上説明した少なくとも一つの実施形態によれば、粘着性のゲル状部が、部品を包含する。当該ゲル状部の表面の少なくとも一部が外部に露出される。これにより、電子機器は、例えば両面テープのような他の部材無しに、対象となる面に接着される。
【０１３６】
なお本明細書中において「粘着性」とは、少なくとも電子機器１２が所定の時間の間、重力方向に逆らって被検体（例えば、人体）と接触した状態を保つことができる程度であればよい。なお、所定の時間とは、例えば電子機器１２が被検体に貼り付けられてから、被検体の心電位の測定を完了するまでであることが望ましいが、必ずしもこれに限らず、重力方向に逆らう方向に力が働く構成であればよい。
【０１３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３８】
１２：電子機器、１３：外部ケーブル、２１：モジュール、２２：電池、２３：ゲル状部、２４：カバー、３１：第１の基板、３２：第２の基板、３３：第３の基板、３４：第１のコネクタ、３６：電子部品、３８：ケーブル、４２：接着部、５１：第１の壁、５２：第２の壁、５５：第１の開口部、６１：フランジ部、６３：第２の開口部、９１：表示部、９２：心電センサ、９３：電極、９５：絶縁部、９６：導電部、１０１：保持部。
【図１】
2017064085.tif 000003
【図２】
2017064085.tif 000004
【図３】
2017064085.tif 000005
【図４】
2017064085.tif 000006
【図５】
2017064085.tif 000007
【図６】
2017064085.tif 000008